(57)【要約】      （修正有）【課題】伝送導線を整理するとともに、携帯用伝送導線の収納効果を有する接続導線の格納装置を提供する。【解決手段】一枚の横板１１および一対の立て板１２で組成されたU型造形の内部空間を具えた座体１０と、前記一対の立て板の間において、接続導線Ｌに設けられた前後プラグＬ１，Ｌ２を前記座体の内部空間に固定するプラグ固定部材２０、および前記接続導線の各プラグ後端部に設けた配合部材３０とを含み、前記配合部材と前記プラグ固定部材との結合を介して当該プラグを前記座体内部に固定する。【選択図】図３
0003136921.tif 000002
【実用新案登録請求の範囲】
【請求項１】
一枚の横板および一対の立て板で組成されたU型造形の内部空間を具えた座体と、前記一対の立て板の間において、伝送導線に設けられた前後接続プラグを前記座体の内部空間に固定するプラグ固定部材、および前記伝送導線の各接続プラグ後端部に設けて、前記プラグ固定部材と配合して各接続プラグを前記座体の前記内部空間に固定する配合部材とを具えたことを特徴とする、伝送導線の格納装置。
【請求項２】
前記プラグ固定部材は、前記立て板間の枢接に用い、且つ、先端に少なくとも一対の上部限定スロットを設けた嵌置板、および前記立て板の間に設けて、表面に上部限定スロットに対向した下部限定スロットを設けた下部規制板を具えたことを特徴とする、請求項１に記載の伝送導線の格納装置。
【請求項３】
前記伝送導線、および前記接続プラグは、ユニバーサルシリアル序列ポート、ホットライン高速シリアルトランスポート又は直流電源プラグ用接続導線、およびプラグ部材であることを特徴とする、請求項1に記載の伝送導線の格納装置。
【請求項４】
前記嵌置板は、当該嵌置板後端部と座体間において規制ブロックを更に套接したことを特徴とする、請求項1に記載の伝送導線の格納装置。
【請求項５】
前記規制ブロック内部において、ライトモジュールを設置したことを特徴とする、請求項4に記載の伝送導線の格納装置である。
【請求項６】
前記規制ブロック内部において、特定機能モジュールを設置したことを特徴とする、
請求項4に記載の伝送導線の格納装置。
【請求項７】
前記配合部材は、前記接続プラグ後端部に設置された突起部を含み、且つ前記突起部周囲に頸部を設けたことを特徴とする、請求項1に記載の伝送導線の格納装置。
【請求項８】
前記上部限定スロットと前記下部限定スロットとで構成する槽壁形状は、前記頸部断面形状に配合しうることを特徴とする、請求項7に記載された伝送導線の格納装置。
【考案の詳細な説明】
【技術分野】
【０００１】
本考案は伝送導線の格納装置に関し、殊に、伝送用導線材を容易に収納しうる格納装置に関する。
【背景技術】
【０００２】
技術の日進月移に伴い、消費性電子機器は新製品の開発および促販を絶えずに行い、各種マルチメディアにおけるビデオアート製品は市場に満ち溢れ、デジタルオーディオ(MP3 PLAYER)、デジタルカメラ、撮影機などは、日常生活中に絶えず出現して、現代人の電子製品に対する依頼性を高め、日増しにデジタル生活の普及を促進するとともに、儲存すべきデジタルデータも益々多量化する故に、当該電子機器から他電子機器またはコンピュータの主装置PCに送出する周波数も頻繁に成るゆえ、伝送導線L(図1参照)もデータ伝導の不可欠工具に成っている。
【０００３】
図1において、現用の伝送導線Lは、当該伝送導線の前後端部に設けられた接続プラグL1、L2の電子機器間における挿接を介して用いられるも、当該接続プラグの形状と大きさ、および当該伝送導線内部の導線数は、当該接続プラグが如何なる規格に属すかによって決められ、若し、当該接続プラグがUSB規格である場合は、接続導線L内部に少なくとも四本の導線を有し(未表示)、接続プラグの大きさおよび長さと幅などは、USB規格に決められた所定寸法によって設けられる。
【０００４】
然るに、一般人の電子製品使用における習慣では、データ伝送問題を考慮して外出時に適宜伝送導線を携帯することもないゆえに、伝送導線の不備によるコンピュータの主装置又はその他電子機器に対するデータ伝送ができず、メモリー容量の不足による当該電子機器の継続使用ができなくなることが度々ある。又仮に、外出前に伝送導線の携帯を考慮しても、当該伝送導線の整理又は伝送導線の格納装置不備による線材の散らばり、収納不易又は遺失などの携帯問題が生じている。
【考案の開示】
【考案が解決しようとする課題】
【０００５】
拠って、如何に伝送導線を整理すべきか、尚、外出の携帯における便宜性を如何に捗るべきかが検討すべき課題である。
【０００６】
従って、本考案の主要目的は、前記伝送導線の格納装置を提供することにより、当該装置に伝送導線の前後部プラグ固定部材を設け、当該伝送導線材における前後端部の接続プラグを固定することによって、該伝送導線を環状造形に成して、伝送導線を整理するとともに、携帯用伝送導線の収納効果を達成することである。
【課題を解決するための手段】
【０００７】
尚、前記目的を達成する為、本考案において提供される伝送導線の格納装置は、一枚の横板および一対の立て板で組成されたU型造形の内部空間を具えた座体と、前記一対の立て板の間において、前記伝送導線に設けられた前後接続プラグを前記座体の内部空間に固定するプラグ固定部材、および前記伝送導線の各接続プラグ後端部に設けた配合部材とを含み、前記配合部材と前記プラグ固定部材との結合を介して当該接続プラグを前記座体内部に固定することにより伝送導線を整理するとともに、携帯用伝送導線の収納効果を達成する。
【０００８】
尚、前記伝送導線の格納装置における前記プラグ固定部材は、前記立て板間の枢接に用いられ、且つ、先端に少なくとも一対の上部限定スロットを設けた嵌置板、および前記立て板の間に設けて、表面に上部限定スロットに対向した下部限定スロットを有する一対の下部規制板を設ける。従って、当該嵌置板と前記横板とが平行状態でない場合に、下部限定スロットがそれぞれ開放空間を成すことにより、接続プラグ後端部に設置された配合部材を下部限定スロットに嵌入させ、前記嵌置板と横板とが平行状態にある場合は、当該スロット部とで孔部を形成するとともに、伝送導線前後端部の接続プラグを本体側辺に固定して、伝送導線を環状造型にすることで伝送導線を整理するとともに伝送導線の携帯用収納効果を達成する。
【０００９】
又、伝送導線の格納装置は、当該伝送導線を複数のキーに集中穿接した後、伝送導線の前端部と後端部とを座体片側に固定して環状造型を形成することも可である。
【００１０】
本考案に述べる前記伝送導線の格納装置の伝送導線および接続プラグが、USB、IEE1394又はDC電源プラグ等の伝送導線および端子部材であることについては限定しない。
【００１１】
尚、前記伝送導線の格納装置は、座体内部に接続プラグを固定するため、嵌置板後端部と座体との間に規制ブロックを套設して、前記嵌置板と横板との平行状態維持をするように固定される。
【考案を実施するための最良の形態】
【００１２】
本考案の前記目的達成をするために採用された技術手段およびその他効果は、図面参照にて実施例を以下に説明する。
【００１３】
本考案に述べる伝送導線およびその接続プラグは限定しない。従って、市販のUSB(ユニバーサルシリアル序列ポート)、IEEE1394(ホットライン高速シリアルトランスポート)又は直流電源接続用プラグ等の各種規格に開示された電子機器の信号用又は電源用の各種伝送導線およびその接続プラグであれば使用可であることを先ず記述して置く。
【００１４】
図2は、本考案の伝送導線の格納装置の立体分解図であって、図3は、本考案における伝送導線の格納装置の又の立体分解図であり、図4は、本考案の伝送導線の格納装置における嵌置板が横板と平行状態でない場合を示す断面図であって、図5は、本考案の伝送導線の格納装置における嵌置板と横板とが平行状態である場合を示す断面図であり、図6は、本考案の伝送導線の格納装置において、キーを伝送導線に穿設した状態を示す説明図である。
【００１５】
前記図面において示されたように、本考案の伝送導線の格納装置は、少なくとも座体10と、プラグ固定部材20およびそれぞれの一対伝送導線L前後端部に設けられた配合部材30で形成され（図2ないし3参照）、プラグ固定部材20は、配合部材30との配合接続に用いられるとともに、それぞれの伝送導線接続プラグL1、L2を座体内部に固定し、当該伝送導線Lを環状造型に形成して伝送導線を整理するとともに携帯用の収納目的を達成する。
【００１６】
而し、前記座体10は、横板11および一対の立て板12,12を包含し、各立て板12をそれぞれ横板11の両端側に設けて半開放内部空間のU型造形を成す。
【００１７】
尚、プラグ固定部材20は、前記座体10の一対の立て板12,12間に設置され、伝送導線Lの前後端部に設けられた接続プラグL1,L2を座体10の内部空間(図4参照)における固定に用い、尚且つ、プラグ固定部材20に嵌置板21および下部限定プレート22を包含し、嵌置板21は、一対の立て板12,12間に枢接され、嵌置板21の前端部に一対の上部限定スロット211を設ける。尚、下部限定プレート22は、前記嵌置板21の前端部に対向して一対の立て板12,12の間に設けられ、当該規制プレート22上端部に、それぞれ上部限定スロット211に対向して下部限定スロット222を設けて、接続プラグL1,L2を座体10に固定する。
【００１８】
前記配合部材30は、伝送導線Lの接続プラグL1,L2後端部に設置される。しかし、本実施例は、その記述した配合部材30を、それぞれ伝送導線L表面のブロック体31に套接し、当該ブロック体31の前端側を前記接続プラグL1,L2の後端部に連結、或いは一体的に連接するか否かについての規制はない。而し、前記ブロック体31の表面周囲に頸部311を設けて、上部限定スロット211および下部限定スロット222をその上,下表面(図5参照)に嵌置して接続プラグL1,L2を前記座体10内部に固定する。従って、当該頚部311の断面造形と上部限定スロット211および下部限定スロット222にて組成されたスロット形状は互いに配合され、且つ、当該嵌置板21と横板11とが平行状態でない場合(図4参照)、下部限定スロット222は開放空間である。拠って、接続プラグL1,L2の後端部に設けられた頸部311を下部限定スロット222内に嵌置することによって、前記接続プラグL1,L2を座体10の内部空間に対向させて位置させ、尚、嵌置板21を回転して横板11との平行状態(図5参照)を成し、前記上部限定スロット211を当該頚部311に嵌合させて接続プラグL1, L2を座体10内に規制して当該伝送導線Lを環状造型に仕向ける。
【００１９】
尚且つ、本考案の上部限定スロット211と下部限定スロット222を頸部311に嵌置した時、更に、嵌置板21後端部と座体10間に規制ブロック40を套接する。当該ブロック体40は、嵌置板21と横板11との平行状態(図5参照) 保持に用いられる外、座体10の内部空間を一閉鎖空間に形成して小物の儲蔵室として利用することも可である。尚、ブロック体40は、使用者の需要によりその内部にランプモジュール40’又はその他の特定機能モジュール等を装着することができる故、使用者が本考案の伝送導線Lに複数キーを穿接してキーリング(図6参照)として用いうる他、座体10に套接したランプモジュール40’を介して照明又はその他用途にも用いうる。
【００２０】
又、本考案における立て板12の枢接軸と嵌置板21間の枢接部材において、当該立て板12表面のC型突起部121を設け、前記嵌置板21の枢接軸を該C型突起部121の開口部から嵌入させることにより、該枢接軸をその形成する枢接空間内に枢接させ、嵌置板21交換の場合は、前記枢接軸をC型突起部121の開口部から取り外すことのみで、快速且つ簡易に嵌置板21を交換することができる。この枢接部材は、使用者の審美需要に基づき、表面模様或いは色彩の異なる嵌置板21に交換することができる。
【００２１】
以上の記述は、本考案において比較的に良い実施例であって、本考案の実施分野を規制するものではない。従って、本考案の請求範囲に記載された形状の構造特徴および主旨にて行われる均等変化と修飾等の全ては、本考案の請求範囲に含まれることを主張する。
【図面の簡単な説明】
【００２２】
【図１】一般の接続導線を両電子機器間に挿設した場合の斜視図。
【図２】本考案の伝送導線の格納装置の立体分解図。
【図３】本考案における伝送導線の格納装置の又の立体分解図。
【図４】本考案の伝送導線格納装置における嵌置板が横板と平行状態でない場合を示す断面図。
【図５】本考案の伝送導線の格納装置における嵌置板と横板とが平行状態である場合を示す断面図。
【図６】本考案の伝送導線の格納装置において、伝送導線にキーを穿設した状態を示す説明図。
【符号の説明】
【００２３】
１０    座体
１１    横板
１２    立て板
１２１  C型突起
２０    プラグ固定部材
２１    嵌置板
２１１  上部限定スリット
２２    下部限定プレート
２２２  下部限定スリット
３０    配合部材
３１    ブロック体
３１１  頸部
４０    規制ブロック
４０’    ランプモジュール
L       接続導線
L１,L２  接続端子(プラグ)
K        キー
K１      リング部
【図１】
0003136921.tif 000003
【図２】
0003136921.tif 000004
【図３】
0003136921.tif 000005
【図４】
0003136921.tif 000006
【図５】
0003136921.tif 000007
【図６】
0003136921.tif 000008